(57)【要約】      （修正有）【課題】  通気性を確保すると共に、ウィルス、細菌、花粉、カビ、ホコリ、匂い等の侵入を防ぐことができて、しかも、繰り返し使用しても効果が落ちないマスクを提供する。【解決手段】  開口部１３を残して周囲が平板で形成されたマスクフレーム１１と、その四隅の表側に貼り付けられたホック（凹部）１２と、伸縮性開孔布材で構成されたマスク主体部１４と、マスク主体部１４の裏側に貼り付けられたホック（凸部）１５とを備えて構成されている。このマスク主体部１４を構成する伸縮性開孔布材は、マスクを実際に使用するに先立って、液体（水分）を浸透させて湿らせるものとする。【選択図】  図１
2005095363.tif 000002
【特許請求の範囲】
【請求項１】
空気中に浮遊するウィルス、細菌又は花粉等の異物の体内侵入を防止する衛生用マスクであって、
水分又は湿気を吸収することにより繊維が伸びて繊維間の間隙が拡大して通気性が向上する特性を有する伸縮性開孔布材に所定の液体を浸透させた状態でこれをマスク主体部に備えたことを特徴とする衛生用マスク。
【請求項２】
開口部を残して周囲が平板で形成され、かつ前記平板上に留め具の一方のホックが固着されて成るマスクフレームと、前記伸縮性開孔布材に前記留め具の前記一方のホックに対応する他方のホックが固着されて成る前記マスク主体部とを備えたことを特徴とする請求項１記載の衛生用マスク。
【請求項３】
開口部を残して周囲が平板で形成され、かつ前記平板上の少なくとも四隅に留め具の一方のチャックが固着されて成るマスクフレームと、前記伸縮性開孔布材に前記留め具の前記一方のチャックに対応する他方のチャックが固着されて成る前記マスク主体部とを備えたことを特徴とする請求項１記載の衛生用マスク。
【請求項４】
開口部を残して周囲が平板で形成され、かつ前記平板上の少なくとも上端及び下端に留め具の一方のチャックが固着されて成るマスクフレームと、前記伸縮性開孔布材に前記留め具の前記一方のチャックに対応する他方のチャックが固着されて成る前記マスク主体部とを備えたことを特徴とする請求項１記載の衛生用マスク。
【請求項５】
開口部を残して周囲が平板で形成され、かつ前記平板上の少なくとも左端及び右端に留め具の一方のチャックが固着されて成るマスクフレームと、前記伸縮性開孔布材に前記留め具の前記一方のチャックに対応する他方のチャックが固着されて成る前記マスク主体部とを備えたことを特徴とする請求項１記載の衛生用マスク。
【請求項６】
開口部を残して周囲が平板で形成され、かつ前記平板上に留め具の一方のチャックが離散的に複数個固着されて成るマスクフレームと、前記伸縮性開孔布材に前記留め具の前記一方のチャックに対応する他方のチャックが離散的に複数個固着されて成る前記マスク主体部とを備えたことを特徴とする請求項１記載の衛生用マスク。
【請求項７】
開口部を残して周囲が平板で形成され、かつ前記平板上に前記伸縮性開孔布材の周囲部を収納するためのポケットが設置されて成るマスクフレームを備えたことを特徴とする請求項１記載の衛生用マスク。
【請求項８】
開口部を残して周囲が平板で形成され、かつ前記平板上の少なくとも上端及び下端に前記伸縮性開孔布材の上端及び下端を収納するためのポケットが設置されて成るマスクフレームを備えたことを特徴とする請求項１記載の衛生用マスク。
【請求項９】
開口部を残して周囲が平板で形成され、かつ前記平板上の少なくとも左端及び右端に前記伸縮性開孔布材の左端及び右端を収納するためのポケットが設置されて成るマスクフレームを備えたことを特徴とする請求項１記載の衛生用マスク。
【請求項１０】
前記伸縮性開孔布材が前記ポケットに収納される部位を前記伸縮性開孔布材よりも硬質の材料で形成したことを特徴とする請求項３乃至７の何れか１項に記載の衛生用マスク。
【請求項１１】
眼球保護用の透明のゴーグルの下端に、着脱自在の前記伸縮性開孔布材を係合したことを特徴とする請求項１記載の衛生用マスク。
【請求項１２】
前記伸縮性開孔布材には、光触媒アパタイトが織り込まれていることを特徴とする請求項１乃至１１の何れか１項に記載の衛生用マスク。
【請求項１３】
前記ポケット部の表面には、光触媒アパタイトが付着されていることを特徴とする請求項１乃至１１の何れか1項に記載の衛生用マスク。
【請求項１４】
前記伸縮性開孔布材に浸透せしめる前記液体は、水又は薬剤であることを特徴とする請求項１に記載の衛生用マスク。
【請求項１５】
前記薬剤は、光触媒アパタイトを含有することを特徴とする請求項１４に記載の衛生用マスク。
【請求項１６】
前記伸縮性開孔布材の下端に、前記液体の落下を防止するための防水部を備えたことを特徴とする請求項１乃至１１の何れか１項に記載の衛生用マスク。
【請求項１７】
請求項１乃至請求項１５に記載の前記伸縮性布材を保管するための保存ケースであって、全体が二重構造であり、かつ内側のケースが防水パッケージであり、さらに、前記防水パッケージ内に前記マスク主体部に補充するための前記液体が入れられていることを特徴とする保存ケース。
【発明の詳細な説明】
【技術分野】
【０００１】
本発明は、衛生用マスクに係り、特に、大気中に浮遊する細菌、ウィルス、花粉、カビ、粉塵等(本願では、これらを「異物」という)が、呼気を通じて体内に侵入することを防ぐために、利用者の口蓋を覆う状態で装着される通気性を有する衛生用マスクであって、民生用から医療用までの幅広い用途で、人体への異物の侵入を防止するための衛生用マスク（以下、単に「マスク」という）に関する。
【背景技術】
【０００２】
従来のマスクは、マスク主体に乾式の布材（布パッド等）が使用されていた。
【０００３】
この布材単独でマスク主体が構成される場合の他、通気性を有するガーゼ、抗菌シート、及び活性炭素繊維などの複数の材料の層を重ねて構成される場合があった。このような多層構造により、５ミクロンまでの微粒子を補集することにより、人体を細菌の感染から予防すると共に、花粉、カビ、ホコリ、匂い等の侵入を防いでアレルギー性鼻炎等から予防することを意図していた。このような従来のマスクは、例えば、「バイオマスク」、「立体型バイオマスク」などの商品名で市販されている。
【０００４】
一方、周知の材料として、マスクには使用されていないが、汗等の水分を吸収すると、水分量に応じて繊維が伸び縮みし、これにより、布材を貫通している開孔部が閉塞状態となることを防いで、通気性を調節し、フィット性を向上せしめることができる動的な繊維（伸縮性開孔布材）が開発されている（例えば、特許文献１参照）。
【０００５】
なお、このような伸縮性開孔布材には、例えば、水分を吸収すると繊維が約２０％伸びて、開孔部に隙間が生じ、これにより通気性が約３０％向上するような繊維も開発され、既に商品化されている。
【０００６】
図１２は、特許文献１に開示されている伸縮性開孔布材の製造に使用される織布を示す側面図及び正面図である。
【０００７】
同図に示す織布は、横方向の繊維に張力の弱い線材１２１を使用し、縦方向の繊維に張力の強い線材１２３を使用して、この縦、横の線材を織り込んでいる。符合１２３はナックルと呼ばれる突起部である。この織布に使用する繊維は、繊度１〜６ｄｔｅｘ、繊維長２０〜７０ｍｍで、さらに、繊度１．５〜２．５ｄｔｅｘ、繊維長３８〜６０ｍｍのものがより好ましいとしている。また、ウェブの繊維配合中には潜在捲縮性繊維が主体であることと、この潜在捲縮性繊維の重量が８０重量％以上であることが好ましく、全量が潜在捲縮性繊維であればなお好適であるとしている。
【０００８】
なお、この潜在捲縮性繊維は、温度特性の異なる複数の樹脂成分から成る芯鞘型若しくはサイドバイサイド型といった復号構造を有する繊維で、樹脂成分中の１成分と他の樹脂成分との間で熱収縮率が異なる組合せとなっており、１つの樹脂成分が軟化して収縮し、他の樹脂成分と相対的に収縮差が起こる温度で熱処理を施すことによって、個々の繊維がコイル状（またはスパイラル状）の捲縮を示す繊維としている。例えば、共重合ポリプロピレン／ポリプロピレン、ポリプロピレン／ポリアミド、ポリエチレン／ポリプロピレン、ポリプロピレン／ポリエステル、ポリエチレン／ポリエステルなどの樹脂の組合せが可能であることを開示している。
【０００９】
【特許文献１】特開２００２−１０５８２５号公報
【発明の開示】
【発明が解決しようとする課題】
【００１０】
ところで、上記背景技術で述べた従来のマスクにあっては、マスク主体に乾式の織布または布材が使用されていたので、通気性が悪く、特に多層にすると一層通気性が落ちるという問題点があった。
【００１１】
また、マスク主体に乾式の布材だけが使用されている場合、水洗いして乾かすと、繊維の状態や特性が変化し、人体への細菌、花粉、カビ、ホコリ、匂い等の侵入を防ぐ効果が低下乃至は消失するという問題点があった。
【００１２】
また、人体への細菌、花粉、カビ、ホコリ、匂い等の侵入を防ぐことができても、それよりも遙に微小（大きさのオーダーが異なる）ウィルスの侵入を阻止することができず、よって、ＳＡＲＳ（新型肺炎）を含むインフルエンザ等のウィルス性疾患の感染を予防できないという問題点があった。
【００１３】
ちなみに、スギ花粉の大きさは、約０．０３〔ｍｍ〕で、米粒の３／５００程度、結核菌（細菌）の大きさは、約２〔μｍ〕で、米粒の１／２５００程度であるのに対して、例えば、風疹ウィルスの大きさは約２００〔ｎｍ〕で、米粒の１／５００００程度である。
【００１４】
また、活性炭層を含む多層の構造の場合は、マスク全体を水洗いができず、使用すればするほど、通気性が悪くなる一方であるという問題点があった。
【００１５】
さらに、活性炭層を含む多層の構造の場合は、使用材料が多くなってコストが高くなり、商品価格も高価になるという問題点があった。
【００１６】
本発明は、上記従来の問題点に鑑みてなされたものであって、通気性を確保すると共に、ウィルス、細菌、花粉、カビ、ホコリ、匂い等の侵入を防ぐことができて、しかも、繰り返し使用しても効果が落ちないマスクを提供することを目的としている。
【課題を解決するための手段】
【００１７】
上記課題を解決するために、本発明は、空気中に浮遊するウィルス、細菌又は花粉等の異物の体内侵入を防止する衛生用マスクであって、水分又は湿気を吸収することにより繊維が伸びて繊維間の間隙が拡大して通気性が向上する特性を有する伸縮性開孔布材に所定の液体を浸透させた状態でこれをマスク主体部に備えたことを特徴とする衛生用マスクを提供するものである。
【００１８】
このような構成により、通気性を確保すると共に、ウィルス、細菌、花粉、カビ、ホコリ、匂い等の侵入を防ぐことができるマスクを提供することができる。
【００１９】
また、前記マスクの具体的な構成として、開口部を残して周囲が平板で形成され、かつ前記平板上に留め具の一方のホックが固着されて成るマスクフレームと、前記伸縮性開孔布材に前記留め具の前記一方のホックに対応する他方のホックが固着されて成る前記マスク主体部とを備えることが可能である。
【００２０】
また、前記マスクの他の具体的な構成として、開口部を残して周囲が平板で形成され、かつ前記平板上の少なくとも四隅に留め具の一方のチャックが固着されて成るマスクフレームと、前記伸縮性開孔布材に前記留め具の前記一方のチャックに対応する他方のチャックが固着されて成る前記マスク主体部とを備えることが可能である。
【００２１】
また、前記マスクの他の具体的な構成として、開口部を残して周囲が平板で形成され、かつ前記平板上の少なくとも上端及び下端に留め具の一方のチャックが固着されて成るマスクフレームと、前記伸縮性開孔布材に前記留め具の前記一方のチャックに対応する他方のチャックが固着されて成る前記マスク主体部とを備えることが可能である。
【００２２】
また、前記マスクの他の具体的な構成として、開口部を残して周囲が平板で形成され、かつ前記平板上の少なくとも左端及び右端に留め具の一方のチャックが固着されて成るマスクフレームと、前記伸縮性開孔布材に前記留め具の前記一方のチャックに対応する他方のチャックが固着されて成る前記マスク主体部とを備えることが可能である。
【００２３】
また、前記マスクの他の具体的な構成として、開口部を残して周囲が平板で形成され、かつ前記平板上に留め具の一方のチャックが離散的に複数個固着されて成るマスクフレームと、前記伸縮性開孔布材に前記留め具の前記一方のチャックに対応する他方のチャックが離散的に複数個固着されて成る前記マスク主体部とを備えることが可能である。
【００２４】
また、前記マスクの他の具体的な構成として、開口部を残して周囲が平板で形成され、かつ前記平板上に前記伸縮性開孔布材の周囲部を収納するためのポケットが設置されて成るマスクフレームを備えることが可能である。
【００２５】
さらに、前記マスクの他の具体的な構成として、開口部を残して周囲が平板で形成され、かつ前記平板上の少なくとも上端及び下端に前記伸縮性開孔布材の上端及び下端を収納するためのポケットが設置されて成るマスクフレームを備えることが可能である。
【００２６】
また、前記マスクの他の具体的な構成として、開口部を残して周囲が平板で形成され、かつ前記平板上の少なくとも左端及び右端に前記伸縮性開孔布材の左端及び右端を収納するためのポケットが設置されて成るマスクフレームを備えることが可能である。
【００２７】
前記マスクの他の具体的な構成として、前記伸縮性開孔布材が前記ポケットに収納される部位を前記伸縮性開孔布材よりも硬質の材料で形成することが可能である。
【００２８】
前記マスクの他の具体的な構成としては、眼球保護用の透明のゴーグルの下端に、着脱自在の前記伸縮性開孔布材を係合することが可能である。
【００２９】
ここで、前記伸縮性開孔布材は、潜在捲縮性ポリエステルにより構成され、前記伸縮性開孔布材には、光触媒アパタイトが織り込まれていることを特徴とする。また、前記ポケット部の表面に、光触媒アパタイトを付着させるようにしてもよい。
【００３０】
光触媒アパタイトは、紫外線領域の光と反応して、ウィルス、細菌、花粉又は匂い等の成分を酸化分解して炭酸ガスと水に分解することが知られており、本考案に係る衛生用マスクにおいて、気管内に吸入される異物の消毒及び殺菌効果を向上させることを可能にしている。
【００３１】
また、前記マスクにおいて、前記伸縮性開孔布材に浸透せしめる前記液体は、水又は薬剤であってもよい。ここで、前記伸縮性開孔布材に浸透させる薬液は、前記異物を吸着又は分解する薬剤を含み、前記薬剤は、光触媒アパタイトを含有することにより、気管内に吸入される異物の消毒及び殺菌効果を飛躍的に向上させることを可能にしている。
【００３２】
また、前記マスクの他の具体的な構成として、前記伸縮性開孔布材の下端に、前記液体の落下を防止するための防水部を備えることが可能である。
【００３３】
さらに、請求項１乃至請求項１３に記載のマスクを保管するための保存ケースであって、全体が二重構造であり、かつ内側のケースが防水パッケージであり、さらに、前記防水パッケージ内に前記マスク主体部に補充するための前記液体が入れられていることを特徴とする保存ケースが提供される。
【発明の効果】
【００３４】
以上説明したように、本発明のマスクによれば、通気性を確保すると共に、ウィルス、細菌、花粉、カビ、ホコリ、匂い等の侵入を防ぐことができるマスクを提供することができる。
【００３５】
また、繰り返し使用しても効果が落ちないマスクを提供することができる。
【発明を実施するための最良の形態】
【００３６】
以下、本発明のマスクの最良の実施形態について、図面を参照して詳細に説明する。
【実施例１】
【００３７】
図１は、本発明の実施例１に係るマスクの構成を示す構成図である。
同図において、本実施例に係るマスクは、開口部１３を残して周囲が平板で形成されたマスクフレーム１１と、マスクフレーム１１の四隅の表側に貼り付けられたホック（凹部）１２と、伸縮性開孔布材で構成された利用者の口蓋を覆うためのマスク主体部１４と、マスク主体部１４の裏側に貼り付けられたホック（凸部）１５とを備える。尚、マスクフレーム１１には、装着時に耳に掛けるための紐が係合されているが図示は省略する。
【００３８】
マスクフレーム１１は、柔軟性を有する平板状の材料で構成されている。この材料としては、例えば、合成樹脂、金属、皮革、布、紙、ガラス繊維、竹、木材、鼈甲等を使用することができる。
【００３９】
マスク主体部１４に使用する伸縮性開孔布材は、ミズノ・三菱レイヨンから市販されている繊維「ダイナミックエアリー」や、特許文献１で開示された繊維を使用することができる。その他、レーヨン等の再生繊維、綿・羊毛等の天然繊維、アセテート等の半合成繊維や、ポリイミド系繊維、ポリオレフィン系繊維、ポリエチレン系繊維等の合成繊維を使用して構成することができる。
【００４０】
このマスク主体部１４を構成する伸縮性開孔布材は、マスクを実際に使用するに先立って、液体（水分）を浸透させて湿らせるものとする。マスク主体部１４の伸縮性開孔布材は、この水分の含侵により、繊維が伸びて繊維間の間隙が拡大し、これにより、通気性が向上する。また、マスク主体部１４の伸縮性開孔布材に浸透した水分は、ウィルス等のミクロな異物を吸着する効果がある。
【００４１】
また、この液体としては、水、匂いの少ない消毒薬、及び水で薄めた匂いの少ない消毒薬等を使用することが可能である。
【００４２】
さらに、前記伸縮性開孔布材に浸透させる薬液として、前記異物を吸着又は分解する薬剤を含み、前記薬剤は、光触媒アパタイトを含有することにより、気管内に吸入される異物の消毒及び殺菌効果を飛躍的に向上させることを可能にしている。このような、ウィルスや細菌類をその死骸や毒素を含めて分解、無毒化する光触媒アパタイトの例としては、リン酸カルシウムの一種であるカルシウム・ヒドロキシ・アパタイト等が知られている。
【００４３】
以下、本実施例に係るマスクの構成方法について述べる。
【００４４】
図１（ａ）に示すマスクフレーム１１は、前述の周囲が柔軟性を有する薄い平板で構成され、この周囲の内部平面には、マスク主体部１４の平面が位置するように開口部１３が設けられている。マスクフレーム１１の上記平板の表側の四隅には、マスク主体部１４を取り付けるためのホック（凹部）１２ａ，１２ｂ，１２ｃ，１２ｄが固着されている。
【００４５】
一方、図１（ｂ）に示すマスク主体部１４は、主として前述の伸縮性開孔布材のマスク層で構成され、マスク主体部１４の裏側の四隅には、マスクフレーム１１へ取り付けるためのホック（凸部）１５ａ，１５ｂ，１５ｃ，１５ｄが、前述のホック（凹部）１２ａ，１２ｂ，１２ｃ，１２ｄにそれぞれ対応する位置に固着されている。このホック（凹部）１２及びホック（凸部）１５の設置個数と、設置箇所は、それぞれ任意とすることが可能である。
【００４６】
図１（ｃ）は、前述のホック（凹部）１２ａ，１２ｂ，１２ｃ，１２ｄが固着されたマスクフレーム１１に、前述のホック（凸部）１５ａ，１５ｂ，１５ｃ，１５ｄが固着されたマスク主体部１４を取り付けた状態のマスク（完成図）を示す。
【００４７】
この実施例では、マスクフレーム１１側にホック（凹部）１２を取り付け、マスク主体部１４側にホック（凸部）１５を取り付ける構成としたが、これとは逆に、マスクフレーム１１側にホック（凸部）１５を取り付け、マスク主体部１４側にホック（凹部）１２を取り付ける構成としてもよい。
【００４８】
また、この実施例では、マスク主体部１４は、前述の伸縮性開孔布材で構成されたマスク層、または他の材料で構成された他のマスク層を多層に重ねて構成することができる。
【００４９】
ここで、マスク主体部１１を構成する伸縮性開孔布材は、潜在捲縮性ポリエステルにより構成され、前記伸縮性開孔布材には光触媒アパタイトが織り込まれるようにすると良い。また、マスク主体部の表面に光触媒アパタイトをスプレー等の手段により付着させるようにしても良い。この光触媒アパタイトは、紫外線領域の光と反応して、ウィルス、細菌、花粉又は匂い等の成分を酸化分解して炭酸ガスと水に分解することが知られており、本考案に係る衛生用マスクにおいて、気管内に吸入される異物の消毒及び殺菌効果を向上させることを可能にしている。
【実施例２】
【００５０】
図２は、本発明の実施例２に係るマスクの構成を示す構成図である。
同図において、本実施例に係るマスクは、開口部２３を残して周囲が平板で形成されたマスクフレーム２１と、マスクフレーム２１の四隅の表側に固着されたＬ字型のチャック２２と、伸縮性開孔布材で構成された利用者の口蓋を覆うためのマスク主体部２４と、マスク主体部２４の裏側に固着されたＬ字型のチャック２５とを備える。
【００５１】
なお、マスクフレーム２１には、装着時に耳に掛けるための紐が係合されているが図示は省略する。
【００５２】
マスクフレーム２１と、マスク主体部２４に使用できる材料については、前述の実施例１のマスクフレーム１１と、マスク主体部１４に使用されている材料と同じである。
【００５３】
このマスク主体部２４を構成する伸縮性開孔布材は、マスクを実際に使用するに先立って、液体（水分）を浸透させて湿らせるものとする。マスク主体部２４の伸縮性開孔布材は、この水分供給により、繊維が伸びて繊維間の間隙が拡大し、これにより、通気性が向上する。また、マスク主体部２４の伸縮性開孔布材に浸透した水分は、ウィルス等のミクロな異物を吸着する効果がある。
【００５４】
また、この液体としては、水、匂いの少ない消毒薬、及び水で薄めた匂いの少ない消毒薬等を使用することが可能である。
【００５５】
以下、本実施例に係るマスクの構成方法について述べる。
【００５６】
図２（ａ）に示すマスクフレーム２１は、前述の周囲が柔軟性を有する薄い平板で構成され、この周囲の内部平面には、マスク主体部２４の平面が位置するように開口部２３が設けられている。マスクフレーム２１の上記平板の表側の四隅には、マスク主体部２４を取り付けるためのチャック２２ａ，２２ｂ，２２ｃ，２２ｄが固着されている。
【００５７】
一方、図２（ｂ）に示すマスク主体部２４は、主として前述の伸縮性開孔布材のマスク層で構成され、マスク主体部２４の裏側の四隅には、マスクフレーム２１へ取り付けるためのチャック２５ａ，２５ｂ，２５ｃ，２５ｄが、前述のチャック２２ａ，２２ｂ，２２ｃ，２２ｄにそれぞれ対応する位置に固着されている。このチャック２２及びチャック２５が設置されている箇所の間の位置には、他の取り付け手段が任意に配設されていてもよいものとする。
【００５８】
図２（ｃ）は、前述のチャック２２ａ，２２ｂ，２２ｃ，２２ｄが固着されたマスクフレーム２１に、前述のチャック２５ａ，２５ｂ，２５ｃ，２５ｄが固着されたマスク主体部２４を取り付けた状態のマスク（完成図）を示す。
【００５９】
この実施例でも、マスク主体部２４は、前述の伸縮性開孔布材で構成されたマスク層、または他の材料で構成された他のマスク層を多層に重ねて構成することができる。
【実施例３】
【００６０】
図３は、本発明の実施例３に係るマスクの構成を示す構成図である。
同図において、本実施例に係るマスクは、開口部３３を残して周囲が平板で形成されたマスクフレーム３１と、マスクフレーム３１の上端及び下端の表側に固着された矩形のチャック３２と、伸縮性開孔布材で構成された利用者の口蓋を覆うためのマスク主体部３４と、マスク主体部３４の上端及び下端の裏側に固着された矩形のチャック３５とを備える。
【００６１】
なお、マスクフレーム３１には、装着時に耳に掛けるための紐が係合されているが図示は省略する。
【００６２】
マスクフレーム３１と、マスク主体部３４に使用できる材料については、前述の実施例１のマスクフレーム１１と、マスク主体部１４に使用されている材料と同じである。
【００６３】
このマスク主体部３４を構成する伸縮性開孔布材は、マスクを実際に使用するに先立って、液体（水分）を浸透させて湿らせるものとする。マスク主体部３４の伸縮性開孔布材は、この水分供給により、繊維が伸びて繊維間の間隙が拡大し、これにより、通気性が向上する。また、マスク主体部３４の伸縮性開孔布材に浸透した水分は、ウィルス等のミクロな異物を吸着する効果がある。
【００６４】
また、この液体としては、水、匂いの少ない消毒薬、及び水で薄めた匂いの少ない消毒薬等を使用することが可能である。
【００６５】
以下、本実施例に係るマスクの構成方法について述べる。
【００６６】
図３（ａ）に示すマスクフレーム３１は、前述の周囲が柔軟性を有する薄い平板で構成され、この周囲の内部平面には、マスク主体部３４の平面が位置するように開口部３３が設けられている。マスクフレーム３１の上記平板の上端及び下端の表側には、マスク主体部３４を取り付けるためのチャック３２ａ，３２ｂが固着されている。
【００６７】
一方、図３（ｂ）に示すマスク主体部３４は、主として前述の伸縮性開孔布材のマスク層で構成され、マスク主体部３４の上端及び下端の裏側には、マスクフレーム３１へ取り付けるためのチャック３５ａ，３５ｂが、前述のチャック３２ａ，３２ｂにそれぞれ対応する位置に固着されている。このチャック３２及びチャック３５以外に、マスクフレーム３１の縦枠やマスク主体部３４の左端及び右端に、他の取り付け手段が任意に配設されていてもよいものとする。
【００６８】
図３（ｃ）は、前述のチャック３２ａ，３２ｂが固着されたマスクフレーム３１に、前述のチャック３５ａ，３５ｂが固着されたマスク主体部３４を取り付けた状態のマスク（完成図）を示す。
【００６９】
この実施例でも、マスク主体部３４は、前述の伸縮性開孔布材で構成されたマスク層、または他の材料で構成された他のマスク層を多層に重ねて構成することができる。
【実施例４】
【００７０】
図４は、本発明の実施例４に係るマスクの構成を示す構成図である。
同図において、本実施例に係るマスクは、開口部４３を残して周囲が平板で形成されたマスクフレーム４１と、マスクフレーム４１の左端及び右端の表側に固着された矩形のチャック４２と、伸縮性開孔布材で構成された利用者の口蓋を覆うためのマスク主体部４４と、マスク主体部４４の左端及び右端の裏側に固着された矩形のチャック４５とを備える。
【００７１】
なお、マスクフレーム４１には、装着時に耳に掛けるための紐が係合されているが図示は省略する。
【００７２】
マスクフレーム４１と、マスク主体部４４に使用できる材料については、前述の実施例１のマスクフレーム１１と、マスク主体部１４に使用されている材料と同じである。
【００７３】
このマスク主体部４４を構成する伸縮性開孔布材は、マスクを実際に使用するに先立って、液体（水分）を浸透させて湿らせるものとする。マスク主体部４４の伸縮性開孔布材は、この水分供給により、繊維が伸びて繊維間の間隙が拡大し、これにより、通気性が向上する。また、マスク主体部４４の伸縮性開孔布材に浸透した水分は、ウィルス等のミクロな異物を吸着する効果がある。
【００７４】
また、この液体としては、水、匂いの少ない消毒薬、及び水で薄めた匂いの少ない消毒薬等を使用することが可能である。
【００７５】
以下、本実施例に係るマスクの構成方法について述べる。
【００７６】
図４（ａ）に示すマスクフレーム４１は、前述の周囲が柔軟性を有する薄い平板で構成され、この周囲の内部平面には、マスク主体部４４の平面が位置するように開口部４３が設けられている。マスクフレーム４１の上記平板の左端及び右端の表側には、マスク主体部４４を取り付けるためのチャック４２ａ，４２ｂが固着されている。
【００７７】
一方、図４（ｂ）に示すマスク主体部４４は、主として前述の伸縮性開孔布材のマスク層で構成され、マスク主体部４４の左端及び右端の裏側には、マスクフレーム４１へ取り付けるためのチャック４５ａ，４５ｂが、前述のチャック４２ａ，４２ｂにそれぞれ対応する位置に固着されている。このチャック４２及びチャック４５以外に、マスクフレーム４１の横枠やマスク主体部４４の上端及び下端に、他の取り付け手段が任意に配設されていてもよいものとする。
【００７８】
図４（ｃ）は、前述のチャック４２ａ，４２ｂが固着されたマスクフレーム４１に、前述のチャック４５ａ，４５ｂが固着されたマスク主体部４４を取り付けた状態のマスク（完成図）を示す。
【００７９】
この実施例でも、マスク主体部４４は、前述の伸縮性開孔布材で構成されたマスク層、または他の材料で構成された他のマスク層を多層に重ねて構成することができる。
【実施例５】
【００８０】
図５は、本発明の実施例５に係るマスクの構成を示す構成図である。
同図において、本実施例に係るマスクは、開口部５３を残して周囲が平板で形成されたマスクフレーム５１と、マスクフレーム５１の上端及び下端の表側に固着された矩形の複数のチャック５２と、伸縮性開孔布材で構成された利用者の口蓋を覆うためのマスク主体部５４と、マスク主体部５４の上端及び下端の裏側に離散的に固着された矩形の複数のチャック５５とを備える。
【００８１】
なお、マスクフレーム５１には、装着時に耳に掛けるための紐が係合されているが図示は省略する。
【００８２】
マスクフレーム５１と、マスク主体部５４に使用できる材料については、前述の実施例１のマスクフレーム１１と、マスク主体部１４に使用されている材料と同じである。
【００８３】
このマスク主体部５４を構成する伸縮性開孔布材は、マスクを実際に使用するに先立って、液体（水分）を浸透させて湿らせるものとする。マスク主体部５４の伸縮性開孔布材は、この水分供給により、繊維が伸びて繊維間の間隙が拡大し、これにより、通気性が向上する。また、マスク主体部５４の伸縮性開孔布材に浸透した水分は、ウィルス等のミクロな異物を吸着する効果がある。
【００８４】
また、この液体としては、水、匂いの少ない消毒薬、及び水で薄めた匂いの少ない消毒薬等を使用することが可能である。
【００８５】
以下、本実施例に係るマスクの構成方法について述べる。
【００８６】
図５（ａ）に示すマスクフレーム５１は、前述の周囲が柔軟性を有する薄い平板で構成され、この周囲の内部平面には、マスク主体部５４の平面が位置するように開口部５３が設けられている。マスクフレーム５１の上記平板の上端及び下端の表側には、マスク主体部５４を取り付けるためのチャック５２ａ，５２ｂ，５２ｃ，５２ｃ，５２ｅ，５２ｆが固着されている。
【００８７】
一方、図５（ｂ）に示すマスク主体部５４は、主として前述の伸縮性開孔布材のマスク層で構成され、マスク主体部５４の上端及び下端の裏側には、マスクフレーム５１へ取り付けるためのチャック５５ａ，５５ｂ，５５ｃ，５５ｃ，５５ｅ，５５ｆが、前述のチャック５２ａ，５２ｂ，５２ｃ，５２ｃ，５２ｅ，５２ｆにそれぞれ対応する位置に固着されている。このチャック５２及びチャック５５以外に、マスクフレーム５１の縦枠やマスク主体部５４の左端及び右端に、他の取り付け手段が任意に配設されていてもよいものとする。
【００８８】
図５（ｃ）は、前述のチャック５２ａ，５２ｂ，５２ｃ，５２ｃ，５２ｅ，５２ｆが固着されたマスクフレーム５１に、前述のチャック５５ａ，５５ｂ，５５ｃ，５５ｃ，５５ｅ，５５ｆが固着されたマスク主体部５４を取り付けた状態のマスク（完成図）を示す。
【００８９】
この実施例でも、マスク主体部５４は、前述の伸縮性開孔布材で構成されたマスク層、または他の材料で構成された他のマスク層を多層に重ねて構成することができる。
【００９０】
また、この実施例では、マスクフレーム５１とマスク主体部５４の上端及び下端に矩形の複数のチャックを離散的に固着するものとしたが、マスクフレーム５１とマスク主体部５４の左端及び右端に矩形の複数のチャックを離散的に固着する構成も可能である。さらに、一般に、本発明に係るマスクは、マスクフレーム５１とマスク主体部５４の周囲に矩形の複数のチャックを離散的に固着する構成とすることも可能である。
【実施例６】
【００９１】
図６は、本発明の実施例６に係るマスクの構成を示す構成図である。
同図において、本実施例に係るマスクは、開口部６３を残して周囲が平板で形成されたマスクフレーム６１と、マスクフレーム６１の前記平板部の表側に固着されたポケット６２（図６は、その入口部分を示す）と、伸縮性開孔布材で構成された利用者の口蓋を覆うためのマスク主体部６４とを備える。
【００９２】
なお、マスクフレーム６１には、装着時に耳に掛けるための紐が係合されているが図示は省略する。
【００９３】
マスクフレーム６１と、マスク主体部６４に使用できる材料については、前述の実施例１のマスクフレーム１１と、マスク主体部１４に使用されている材料と同じである。
【００９４】
このマスク主体部６４を構成する伸縮性開孔布材は、マスクを実際に使用するに先立って、液体（水分）を浸透させて湿らせるものとする。マスク主体部６４の伸縮性開孔布材は、この水分供給により、繊維が伸びて繊維間の間隙が拡大し、これにより、通気性が向上する。また、マスク主体部６４の伸縮性開孔布材に浸透した水分は、ウィルス等のミクロな異物を吸着する効果がある。
【００９５】
また、この液体としては、水、匂いの少ない消毒薬、及び水で薄めた匂いの少ない消毒薬等を使用することが可能である。
【００９６】
以下、本実施例に係るマスクの構成方法について述べる。
【００９７】
図６（ａ）に示すマスクフレーム６１は、前述の周囲が柔軟性を有する薄い平板で構成され、この周囲の内部平面には、マスク主体部６４の平面が位置するように開口部６３が設けられている。マスクフレーム６１の前記平板の表側には、マスク主体部６４を挿入するためのポケット６２が設けられている。
【００９８】
一方、図６（ｂ）に示すマスク主体部６４は、主として前述の伸縮性開孔布材のマスク層で構成されている。このマスク主体部６４の周囲は、ポケット６２に挿入し易くするために、他の硬質の材料で形成してもよい。
【００９９】
図６（ｃ）は、前述のマスクフレーム６１のポケット６２に、前述のマスク主体部６４の周囲が挿入された状態のマスク（完成図）を示す。
【０１００】
この実施例でも、マスク主体部６４は、前述の伸縮性開孔布材で構成されたマスク層、または他の材料で構成された他のマスク層を多層に重ねて構成することができる。
【実施例７】
【０１０１】
図７は、本発明の実施例７に係るマスクの構成を示す構成図である。
同図において、本実施例に係るマスクは、開口部７３を残して周囲が平板で形成されたマスクフレーム７１と、マスクフレーム７１の前記平板部の上端及び下端の表側に固着されたポケット７２（図７は、その入口部分を示す）と、伸縮性開孔布材で構成された利用者の口蓋を覆うためのマスク主体部７４とを備える。
【０１０２】
なお、マスクフレーム７１には、装着時に耳に掛けるための紐が係合されているが図示は省略する。
【０１０３】
マスクフレーム７１と、マスク主体部７４に使用できる材料については、前述の実施例１のマスクフレーム１１と、マスク主体部１４に使用されている材料と同じである。
【０１０４】
このマスク主体部７４を構成する伸縮性開孔布材は、マスクを実際に使用するに先立って、液体（水分）を浸透させて湿らせるものとする。マスク主体部７４の伸縮性開孔布材は、この水分供給により、繊維が伸びて繊維間の間隙が拡大し、これにより、通気性が向上する。また、マスク主体部７４の伸縮性開孔布材に浸透した水分は、ウィルス等のミクロな異物を吸着する効果がある。
【０１０５】
また、この液体としては、水、匂いの少ない消毒薬、及び水で薄めた匂いの少ない消毒薬等を使用することが可能である。
【０１０６】
以下、本実施例に係るマスクの構成方法について述べる。
【０１０７】
図７（ａ）に示すマスクフレーム７１は、前述の周囲が柔軟性を有する薄い平板で構成され、この周囲の内部平面には、マスク主体部７４の平面が位置するように開口部７３が設けられている。マスクフレーム７１の前記平板の上端の表側には、マスク主体部７４の上端を挿入するためのポケット７２ａが、また、下端の表側には、マスク主体部７４の下端を挿入するためのポケット７２ｂが設けられている。
【０１０８】
一方、図７（ｂ）に示すマスク主体部７４は、主として前述の伸縮性開孔布材のマスク層で構成されている。このマスク主体部７４の上端または下端は、ポケット７２に挿入し易くするために、他の硬質の材料で形成してもよい。
【０１０９】
図７（ｃ）は、前述のマスクフレーム７１のポケット７２に、前述のマスク主体部７４の上端及び下端が挿入された状態のマスク（完成図）を示す。
【０１１０】
この実施例でも、マスク主体部７４は、前述の伸縮性開孔布材で構成されたマスク層、または他の材料で構成された他のマスク層を多層に重ねて構成することができる。
【実施例８】
【０１１１】
図８は、本発明の実施例８に係るマスクの構成を示す構成図である。
同図において、本実施例に係るマスクは、開口部８３を残して周囲が平板で形成されたマスクフレーム８１と、マスクフレーム８１の前記平板部の左端及び右端の表側に固着されたポケット８２（図７は、その入口部分を示す）と、伸縮性開孔布材で構成された利用者の口蓋を覆うためのマスク主体部８４とを備える。
【０１１２】
なお、マスクフレーム８１には、装着時に耳に掛けるための紐が係合されているが図示は省略する。
【０１１３】
マスクフレーム８１と、マスク主体部８４に使用できる材料については、前述の実施例１のマスクフレーム１１と、マスク主体部１４に使用されている材料と同じである。
【０１１４】
このマスク主体部８４を構成する伸縮性開孔布材は、マスクを実際に使用するに先立って、液体（水分）を浸透させて湿らせるものとする。マスク主体部８４の伸縮性開孔布材は、この水分供給により、繊維が伸びて繊維間の間隙が拡大し、これにより、通気性が向上する。また、マスク主体部８４の伸縮性開孔布材に浸透した水分は、ウィルス等のミクロな異物を吸着する効果がある。
【０１１５】
また、この液体としては、水、匂いの少ない消毒薬、及び水で薄めた匂いの少ない消毒薬等を使用することが可能である。
【０１１６】
以下、本実施例に係るマスクの構成方法について述べる。
【０１１７】
図８（ａ）に示すマスクフレーム８１は、前述の周囲が柔軟性を有する薄い平板で構成され、この周囲の内部平面には、マスク主体部８４の平面が位置するように開口部８３が設けられている。マスクフレーム８１の前記平板の左端の表側には、マスク主体部８４の左端を挿入するためのポケット８２ａが、また、右端の表側には、マスク主体部８４の下端を挿入するためのポケット８２ｂが設けられている。
【０１１８】
一方、図８（ｂ）に示すマスク主体部８４は、主として前述の伸縮性開孔布材のマスク層で構成されている。このマスク主体部８４の左端または右端は、ポケット８２に挿入し易くするために、他の硬質の材料で形成してもよい。
【０１１９】
図８（ｃ）は、前述のマスクフレーム８１のポケット８２に、前述のマスク主体部８４の左端及び右端が挿入された状態のマスク（完成図）を示す。
【０１２０】
この実施例でも、マスク主体部８４は、前述の伸縮性開孔布材で構成されたマスク層、または他の材料で構成された他のマスク層を多層に重ねて構成することができる。
【実施例９】
【０１２１】
図９、図１０は、本発明の実施例９に係るマスクの構成を示す構成図である。
同図において、本実施例に係るマスクは、手術等を実施する際に利用者（オペレータ）の眼球を保護するための眼球保護用ゴーグル９１と、眼球保護用ゴーグル９１の上端に固着されたクッション９２と、眼球保護用ゴーグル９１の下部両端の表側に固着されたホック（凸部）９３と、伸縮性開孔布材で構成された利用者の口蓋を覆うためのマスク主体部９４と、マスク主体部９４の上部両端の裏側に固着されたホック（凹部）９５とを備える。
【０１２２】
なお、眼球保護用ゴーグル９１には、装着時に耳に掛けるための紐または蔓が係合されているが図示は省略する。
【０１２３】
眼球保護用ゴーグル９１は、眼鏡型に形成される。これは、合成樹脂から成る透明のフィルムや透明のガラス板を使用して構成することができる。また、クッション９２は、柔らかい布、綿、皮革、スポンジ等を使用して構成することができる。さらに、マスク主体部９４に使用できる材料については、前述の実施例１のマスク主体部１４に使用されている材料と同じである。
【０１２４】
このマスク主体部９４を構成する伸縮性開孔布材は、マスクを実際に使用するに先立って、液体（水分）を浸透させて湿らせるものとする。マスク主体部９４の伸縮性開孔布材は、この水分供給により、繊維が伸びて繊維間の間隙が拡大し、これにより、通気性が向上する。また、マスク主体部９４の伸縮性開孔布材に浸透した水分は、ウィルス等のミクロな異物を吸着する効果がある。
【０１２５】
また、この液体としては、水、匂いの少ない消毒薬、及び水で薄めた匂いの少ない消毒薬等を使用することが可能である。
【０１２６】
以下、本実施例に係るマスクの構成方法について述べる。
【０１２７】
図９（ａ）に示す眼球保護用ゴーグル９１は、柔軟性を有する薄い平板を眼鏡型に切り出されて構成され、上端には、利用者（オペレータ）の額を保護すると共にフィット性を高めるためのクッション９２が固着されている。眼球保護用ゴーグル９１の下部両端の表側には、マスク主体部９４を取り付けるためのホック（凸部）９３ａ、９３ｂが固着されている。
【０１２８】
一方、図９（ｂ）に示すマスク主体部９４は、主として前述の伸縮性開孔布材のマスク層で構成されている。このマスク主体部９４の上部両端には、前述のホック（凸部）９３ａ、９３ｂに対応する位置にホック（凹部）９５ａ、９５ｂが固着されている。このホック（凹部）９３及びホック（凸部）９５の設置個数と、設置箇所は、それぞれ任意とすることが可能である。
【０１２９】
図１０（ｃ）は、前述の眼球保護用ゴーグル９１のホック（凸部）９３に、前述のマスク主体部９４のホック（凹部）９５が取り付けられた状態のマスク（完成図）を示す。
【０１３０】
この実施例では、眼球保護用ゴーグル９１側にホック（凸部）９３を取り付け、マスク主体部９４側にホック（凸部）９５を取り付ける構成としたが、これとは逆に、眼球保護用ゴーグル９１側にホック（凹部）９５を取り付け、マスク主体部９４側にホック（凸部）９３を取り付ける構成としてもよい。
【０１３１】
また、この実施例でも、マスク主体部９４は、前述の伸縮性開孔布材で構成されたマスク層、または他の材料で構成された他のマスク層を多層に重ねて構成することができる。
【０１３２】
さらに、ホック（凸部）９３やホック（凹部）９５の代わりに、チャックを使用することや、眼球保護用ゴーグル９１の下部にポケットを設けることも可能である。
【実施例１０】
【０１３３】
図１１は、本発明の実施例１０に係るマスクの構成を示す構成図である。
本発明の実施例１０に係るマスクの構成は、本発明の実施例１乃至９に係るマスクに対して、マスク主体部の下部から水分が落下する（垂れる）ことを防止するための防水部９６だけを追加的に固着させた構成となる。
【０１３４】
なお、図１１では、前述の実施例９に係るマスクに対して、マスク主体部９４の下部から水分が落下することを防止するための防水部９６を固着させた構成例を示している。
【０１３５】
この防水部９６は、布、綿、スポンジ等の材質を使用し、その吸水性を利用するように構成することが可能であるし、水分をプールするポケット構造とすることも可能である。
【０１３６】
なお、前述の各実施例に係るマスクを保管するための保存ケースとしては、ケースを二重構造とし、さらに、内側のケースは防水パッケージとして、マスク主体部９４を構成する前述の伸縮性開孔布材に補充するための水分や薬剤を入れておくことも可能である。
【０１３７】
このため、内側のケースを構成する材料としてはアルミシート、耐衝撃性ガラス、陶器等が好ましい。また、外側のケースを構成する材料としてはアルミニュームが好適である。さらに、ケース全体を予め減菌処理しておくことも可能である。マスクの保存ケースをこのように構成することにより、マスクは、常に水分を補給された状態で保管することが可能なので、本発明に係るマスクが繰り返し使用されたとしても、その効果が減じられることがない。
【０１３８】
なお、前述の各実施例において、マスク主体部の各々には排気弁手段を設けることが可能である。また、この排気弁手段は、呼吸における空気吸入の際は、閉じることにより、空気が布パッドに浸透している水分に触れて肺に吸入され、また、空気排出の際には、当該排気弁手段が開くことにより空気の排出を容易にして、呼吸を楽にするものとする事が可能である。
【産業上の利用可能性】
【０１３９】
本発明に係るマスクは、通気性を維持しながらも、口蓋から異物が体内に侵入することを効果的に阻止するので、民生用から医療用に至る幅広い分野で、病気予防のための衛生具として使用することが可能であり、特にＳＡＲＳ（新型肺炎）を含むインフルエンザ等のウィルス感染を予防する目的に使用することが可能である。
【図面の簡単な説明】
【０１４０】
【図１】本発明の実施例１に係るマスクの構成を示す構成図である。
【図２】本発明の実施例２に係るマスクの構成を示す構成図である。
【図３】本発明の実施例３に係るマスクの構成を示す構成図である。
【図４】本発明の実施例４に係るマスクの構成を示す構成図である。
【図５】本発明の実施例５に係るマスクの構成を示す構成図である。
【図６】本発明の実施例６に係るマスクの構成を示す構成図である。
【図７】本発明の実施例７に係るマスクの構成を示す構成図である。
【図８】本発明の実施例８に係るマスクの構成を示す構成図である。
【図９】本発明の実施例９に係るマスクの構成を示す構成図（１／２）である。
【図１０】本発明の実施例９に係るマスクの構成を示す構成図（２／２）である。
【図１１】本発明の実施例１０に係るマスクの構成を示す構成図である。
【図１２】特許文献１に開示されている伸縮性開孔布材の構造を示す側面図及び正面図である。
【符号の説明】
【０１４１】
１１  マスクフレーム
１２  ホック（凸部）
１３  開口部
１４  マスク主体部
１５  ホック（凹部）
２２，２５  チャック
６２  ポケット
９１  眼球保護用ゴーグル
９２  クッション
９６  防水部
【図１】
2005095363.tif 000003
【図２】
2005095363.tif 000004
【図３】
2005095363.tif 000005
【図４】
2005095363.tif 000006
【図５】
2005095363.tif 000007
【図６】
2005095363.tif 000008
【図７】
2005095363.tif 000009
【図８】
2005095363.tif 000010
【図９】
2005095363.tif 000011
【図１０】
2005095363.tif 000012
【図１１】
2005095363.tif 000013
【図１２】
2005095363.tif 000014